(57)【要約】【課題】予約録画に失敗した場合にユーザが蒙る不便を軽減できる録画装置を提供すること。【解決手段】放送システムから放送番組を受信するための受信部１１０と、ＶＯＤシステムにアクセスするための通信部１２０と、前記放送番組を記録するための記憶部１３０と、ユーザによる指示操作を受け付けるユーザ操作受付部１４０と、制御部１６０と、を備え、制御部１６０は、前記放送システムから受信部１１０を介して対象放送番組を受信し、受信された前記対象放送番組を記憶部１３０に記録する予約録画を試み、前記対象放送番組の予約録画に失敗した場合に、前記ユーザから前記対象放送番組の再生を指示されると、前記対象放送番組に関連する対象ＶＯＤ番組を前記ＶＯＤシステムから通信部１２０を介して取得しながら再生する。【選択図】図３
2015226287.tif 000002
【特許請求の範囲】
【請求項１】
放送システムから放送番組を受信するための受信部と、
ＶＯＤ（Ｖｉｄｅｏ  Ｏｎ  Ｄｅｍａｎｄ）システムにアクセスするための通信部と、
前記放送番組を記録するための記憶部と、
ユーザによる指示操作を受け付けるユーザ操作受付部と、
制御部と、を備え、
前記制御部は、
前記放送システムから前記受信部を介して対象放送番組を受信し、受信された前記対象放送番組を前記記憶部に記録する予約録画を試み、
前記対象放送番組の予約録画に失敗した場合に、前記ユーザから前記ユーザ操作受付部を介して前記対象放送番組の再生を指示されると、前記対象放送番組に関連する対象ＶＯＤ番組を前記ＶＯＤシステムから前記通信部を介して取得しながら再生する、
録画装置。
【請求項２】
前記制御部は、
前記対象放送番組の予約録画に失敗した場合に、前記通信部を用いて、前記ＶＯＤシステムから、前記対象放送番組に関連する１以上のＶＯＤ番組を検索し、
前記対象放送番組に関する案内情報と検索された前記１以上のＶＯＤ番組の各々に関する案内情報との一致率を特定し、
前記ユーザから前記対象放送番組の再生を指示されると、検索された前記１以上のＶＯＤ番組の中で前記一致率が所定の条件を満たす程度に高いＶＯＤ番組を、前記対象ＶＯＤ番組として、前記ＶＯＤシステムから取得しながら再生する、
請求項１に記載の録画装置。
【請求項３】
前記制御部は、
検索された前記１以上のＶＯＤ番組の中に前記一致率が前記条件を満たす程度に高いＶＯＤ番組がない場合に、前記ユーザから前記対象放送番組の再生を指示されると、検索された前記１以上のＶＯＤ番組のリストを生成し、
前記ユーザによって前記リストの中から選択されるＶＯＤ番組を、前記対象ＶＯＤ番組として、前記ＶＯＤシステムから取得しながら再生する、
請求項２に記載の録画装置。
【請求項４】
前記制御部は、
前記対象ＶＯＤ番組を再生したとき、前記対象ＶＯＤ番組と前記対象放送番組との関連付けを示すリンク情報を、前記記憶部に記録し、
前記ユーザから前記対象放送番組の再生を再度指示されると、前記リンク情報によって前記ＶＯＤ番組に関連付けられる前記対象ＶＯＤ番組を、前記ＶＯＤシステムから取得しながら再生する、
請求項１に記載の録画装置。
【請求項５】
前記制御部は、
前記対象放送番組の予約録画に失敗した場合に、前記ユーザから前記対象放送番組の再生を指示されるよりも前に、前記通信部を用いて、前記ＶＯＤシステムから、前記対象放送番組に関連する１以上のＶＯＤ番組を検索し、
検索された前記１以上のＶＯＤ番組のリストを前記対象放送番組と関連付けて前記記憶部に記録し、
前記ユーザから前記対象放送番組の再生を指示されると、前記対象放送番組に関連付けられている前記リストを前記記憶部から参照し、前記リストに含まれる少なくとも１つのＶＯＤ番組を、前記対象ＶＯＤ番組として、前記ＶＯＤシステムから取得しながら再生する、
請求項１に記載の録画装置。
【発明の詳細な説明】
【技術分野】
【０００１】
本発明は、録画装置に関し、特には、番組の予約録画に失敗した場合にユーザが蒙る不便を軽減するための技術に関する。
【背景技術】
【０００２】
従来、ユーザにより録画予約された番組の録画に失敗した場合でも、装置自体に負荷をかけることなく、当初録画予約された番組を録画可能な録画制御装置が知られている（例えば、特許文献１）。
【０００３】
特許文献１に開示される録画制御装置は、例えば、携帯端末に実装される。前記録画制御装置は、予約録画に失敗した番組をオペレーションセンターにリクエストすることによって、前記オペレーションセンターから前記番組の再放送スケジュール又は前記番組をダウンロードするためのアドレスを示す応答を取得する。前記録画制御装置は、取得された前記応答に従って、前記番組の再放送を録画し、又は前記番組をダウンロードすることにより、予約録画に失敗した番組を録画する。
【０００４】
このような構成により、前記録画制御装置は、少ない負荷で、予約録画に失敗した番組を録画することを可能にしている。
【先行技術文献】
【特許文献】
【０００５】
【特許文献１】特開２０１０−１３０１６９号公報
【発明の概要】
【発明が解決しようとする課題】
【０００６】
しかしながら、従来の技術では、予約録画に失敗した番組の再放送やダウンロードが利用できるにもかかわらず、当該番組を録画できない事態が起こり得る。典型的には、録画に用いられる記憶装置の空き容量が足りない場合、当該番組は録画されず、ユーザは当該番組を視聴することができない不便を蒙る。
【０００７】
そこで、本発明は、予約録画に失敗した場合にユーザが蒙る不便を軽減できる録画装置を提供することを目的とする。
【課題を解決するための手段】
【０００８】
上記目的を達成するために、本発明の一態様に係る録画装置は、放送システムから放送番組を受信するための受信部と、ＶＯＤ（ビデオオンデマンド）システムにアクセスするための通信部と、前記放送番組を記録するための記憶部と、ユーザによる指示操作を受け付けるユーザ操作受付部と、制御部と、を備え、前記制御部は、前記放送システムから前記受信部を介して対象放送番組を受信し、受信された前記対象放送番組を前記記憶部に記録する予約録画を試み、前記対象放送番組の予約録画に失敗した場合に、前記ユーザから前記ユーザ操作受付部を介して前記対象放送番組の再生を指示されると、前記対象放送番組に関連する対象ＶＯＤ番組を前記ＶＯＤシステムから前記通信部を介して取得しながら再生する。
【０００９】
このような構成によれば、予約録画に失敗した対象放送番組に関連する対象ＶＯＤ番組を前記ＶＯＤシステムから取得しながら再生する、いわゆるストリーミング再生が行われる。そのため、前記対象ＶＯＤ番組の一部を記録するだけの空き容量が前記記憶部にありさえすれば、ユーザは、前記対象ＶＯＤ番組を視聴することができる。つまり、前記記憶部の空き容量の不足によって前記対象放送番組の予約録画に失敗した場合でも、前記ユーザは、前記対象ＶＯＤ番組を視聴できる。また、別の理由で前記対象放送番組の予約録画に失敗し、前記記憶部に十分な空き容量がある場合、前記ユーザは、当該空き容量を他の用途に残しておきながら、しかも、前記対象ＶＯＤ番組を視聴できる。このようにして、予約録画に失敗した場合にユーザが蒙る不便が軽減される。
【００１０】
また、例えば、前記制御部は、前記対象放送番組の予約録画に失敗した場合に、前記通信部を用いて、前記ＶＯＤシステムから、前記対象放送番組に関連する１以上のＶＯＤ番組を検索し、前記対象放送番組に関する案内情報と検索された前記１以上のＶＯＤ番組の各々に関する案内情報との一致率を特定し、前記ユーザから前記対象放送番組の再生を指示されると、検索された前記１以上のＶＯＤ番組の中で前記一致率が所定の条件を満たす程度に高いＶＯＤ番組を、前記対象ＶＯＤ番組として、前記ＶＯＤシステムから取得しながら再生してもよい。
【００１１】
このような構成によれば、前記対象放送番組の代わりとしてより適していると考えられるＶＯＤ番組を、前記対象ＶＯＤ番組として再生することができる。
【００１２】
また、例えば、前記制御部は、検索された前記１以上のＶＯＤ番組の中に前記一致率が前記条件を満たす程度に高いＶＯＤ番組がない場合に、前記ユーザから前記対象放送番組の再生を指示されると、検索された前記１以上のＶＯＤ番組のリストを生成し、前記ユーザによって前記リストの中から選択されるＶＯＤ番組を、前記対象ＶＯＤ番組として、前記ＶＯＤシステムから取得しながら再生してもよい。
【００１３】
このような構成によれば、前記ユーザの選択に基づいて、前記対象ＶＯＤ番組を再生することができる。
【００１４】
また、例えば、前記制御部は、前記対象ＶＯＤ番組を再生したとき、前記対象ＶＯＤ番組と前記対象放送番組との関連付けを示すリンク情報を、前記記憶部に記録し、前記ユーザから前記対象放送番組の再生を再度指示されると、前記リンク情報によって前記ＶＯＤ番組に関連付けられる前記対象ＶＯＤ番組を、前記ＶＯＤシステムから取得しながら再生してもよい。
【００１５】
このような構成によれば、前記ユーザから前記対象放送番組の再生を再度指示されたときに、前記対象放送番組に関連するＶＯＤ番組として以前に再生したことがある対象ＶＯＤ番組を直ちに再生することができる。
【００１６】
また、例えば、前記制御部は、前記対象放送番組の予約録画に失敗した場合に、前記ユーザから前記対象放送番組の再生を指示されるよりも前に、前記通信部を用いて、前記ＶＯＤシステムから、前記対象放送番組に関連する１以上のＶＯＤ番組を検索し、検索された前記１以上のＶＯＤ番組のリストを前記対象放送番組と関連付けて前記記憶部に記録し、前記ユーザから前記対象放送番組の再生を指示されると、前記対象放送番組に関連付けられている前記リストを前記記憶部から参照し、前記リストに含まれる少なくとも１つのＶＯＤ番組を、前記対象ＶＯＤ番組として、前記ＶＯＤシステムから取得しながら再生してもよい。
【００１７】
このような構成によれば、前記ユーザから前記対象放送番組の再生を指示されるよりも前に、前記対象放送番組に関連する１以上のＶＯＤ番組が検索されるので、検索のために前記ユーザが待たされる時間が短縮又は省略される。
【００１８】
なお、本発明は、このような録画装置として実現できるだけでなく、そのような録画装置で実行される録画方法として実現することもできる。また、コンピュータを用いて前記録画方法を実行するためのプログラム、及びそのようなプログラムを非一時的に格納する記録媒体として実現することもできる。
【発明の効果】
【００１９】
本発明に係る録画装置によれば、予約録画に失敗した対象放送番組に関連する対象ＶＯＤ番組を前記ＶＯＤシステムから取得しながら再生する、いわゆるストリーミング再生が行われる。そのため、前記対象ＶＯＤ番組の一部を記録するだけの空き容量が前記記憶部にありさえすれば、ユーザは、前記対象ＶＯＤ番組を視聴することができる。つまり、前記記憶部の空き容量の不足によって前記対象放送番組の予約録画に失敗した場合でも、前記ユーザは、前記対象ＶＯＤ番組を視聴できる。このようにして、予約録画に失敗した場合にユーザが蒙る不便が軽減される。
【図面の簡単な説明】
【００２０】
【図１】実施の形態１に係る録画装置の外観の一例を示す斜視図である。
【図２】実施の形態１に係る録画装置の外観の他の一例を示す斜視図である。
【図３】実施の形態１に係る録画装置の機能的な構成の一例を示すブロック図である。
【図４】実施の形態１に係る録画予約リストの一例を示す図である。
【図５】実施の形態１に係る録画装置の動作の一例を示すフローチャートである。
【図６Ａ】実施の形態１に係る録画番組リストの一例を示す図である。
【図６Ｂ】実施の形態１に係るＶＯＤ番組の再生映像の一例を示す図である。
【図６Ｃ】実施の形態１に係るＶＯＤ番組リストの一例を示す図である。
【図７】実施の形態１に係るＶＯＤ番組リストの一例を示す図である。
【図８】実施の形態３に係る録画装置の動作の一例を示すフローチャートである。
【図９】実施の形態３に係るリンク情報の一例を示す図である。
【発明を実施するための形態】
【００２１】
以下、本発明の実施の形態について、図面を用いて詳細に説明する。なお、以下で説明する実施の形態は、いずれも本発明の一具体例を示すものである。以下の実施の形態で示される数値、データ構造、構成要素、構成要素の配置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００２２】
（実施の形態１）
実施の形態１に係る録画装置は、放送番組を予約録画する機能を有し、かつ、放送番組の予約録画に失敗した場合にユーザが蒙る不便を軽減することができる録画装置である。
【００２３】
図１は、実施の形態１に係る録画装置の外観の一例を示す斜視図である。図１に示されるように、録画装置は、例えば、携帯情報端末１０によって実現され、タッチパネル１１などで構成されるユーザ操作受付部、及び液晶パネル１２などで構成される表示部を有していてもよい。
【００２４】
図２は、実施の形態１に係る録画装置の外観の他の一例を示す斜視図である。図２に示されるように、録画装置は、例えば、ＢＤ（Ｂｌｕ−Ｒａｙ  Ｄｉｓｋ）レコーダ２０によって実現され、リモコン２１などで構成されるユーザ操作受付部、及びモニタディスプレイ２２などで構成される表示部を有していてもよい。
【００２５】
図３は、実施の形態１に係る録画装置の機能的な構成の一例を示すブロック図である。図３に示されるように、録画装置１００は、受信部１１０、通信部１２０、記憶部１３０、ユーザ操作受付部１４０、表示部１５０、及び制御部１６０から構成される。なお、図示の便宜上、表示部１５０を録画装置１００の内部に示しているが、例えば、図２のモニタディスプレイ２２のように、表示部１５０は録画装置１００の外部に設けられていてもよい。すなわち、表示部１５０は、録画装置１００に含まれてもよく、また含まれなくてもよい。
【００２６】
受信部１１０は、放送システムから放送番組を受信するための部である。受信部１１０は、例えばチューナ、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調器などのハードウェアで構成される。
【００２７】
通信部１２０は、ＶＯＤ（Ｖｉｄｅｏ  Ｏｎ  Ｄｅｍａｎｄ）システムにアクセスするための部である。通信部１２０は、例えば、ネットワークアダプタなどのハードウェアで構成される。
【００２８】
記憶部１３０は、受信部１１０にて受信された放送番組を記録するための部である。記憶部１３０には、さらに、後述する録画予約リスト、及び、ＶＯＤ番組リストが記録されてもよい。記憶部１３０は、例えば、ハードディスク装置や半導体メモリ装置などのハードウェアで構成される。
【００２９】
ユーザ操作受付部１４０は、ユーザによる指示操作を受け付ける部である。ユーザ操作受付部１４０は、例えば、タッチパネルやリモコンなどのハードウェアで構成される。
【００３０】
表示部１５０は、放送番組やＶＯＤ番組を表示するための部である。表示部１５０には、さらに、放送番組の録画予約や再生に関連する各種の情報が表示されてもよい。表示部１５０は、例えば、液晶パネル、モニタディスプレイ、スピーカなどのハードウェアで構成される。
【００３１】
制御部１６０は、放送番組の予約録画動作や、ＶＯＤ番組の検索及び再生動作などを含む、録画装置１００の全体の動作を制御する部である。制御部１６０は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などの専用のハードウェア、又はＤＳＰ（Ｄｉｇｉｔａｌ  Ｓｉｇｎａｌ  Ｐｒｏｃｅｓｓｏｒ）やＣＰＵ（Ｃｅｎｔｒａｌ  Ｐｒｏｃｅｓｉｎｇ  Ｕｎｉｔ）が所定のプログラムを実行することによって発揮されるソフトウェア機能、若しくはその両方の組み合わせによって構成される。
【００３２】
次に、上述のように構成される録画装置１００の動作について、詳細に説明する。
【００３３】
まず、録画装置１００は、放送システムから受信部１１０を介して対象放送番組を受信し、受信された前記対象放送番組を記憶部１３０に記録する予約録画を試みる。このような予約録画動作は、従来の録画装置においても行われているものである。予約録画動作は、例えば、録画予約リストを用いて管理される。
【００３４】
図４は、実施の形態１で用いられる録画予約リストの一例を示す図である。図４に示されるように、録画予約リスト１３１は、１以上の対象放送番組の各々について、放送番組名、放送スケジュール（例えば、日時とチャンネル）、及び録画状態を表す。
【００３５】
録画予約リスト１３１は、事前に行われるユーザ操作に従って、記憶部１３０に記録されている。制御部１６０は、録画予約リスト１３１の放送スケジュールに従って、対象放送番組を受信し記憶部１３０に記録する予約録画を試みる。
【００３６】
予約録画は、記憶部１３０の空き容量の不足、停電やバッテリー切れ、電波状態の不良など、様々な要因で失敗することがある。制御部１６０は、対象放送番組の放送スケジュールが過ぎると、対象放送番組の予約録画が成功したか失敗したか（つまり、対象放送番組が記憶部１３０に再生可能に記録されたか否か）を示す録画状態を録画予約リスト１３１に記入する。
【００３７】
その結果、録画予約リスト１３１は、例えば図４に示されるような内容になる。図４の録画予約リスト１３１は、放送番組Ａ〜Ｅが録画予約され、放送番組Ａ、Ｄは録画に成功し、放送番組Ｂ、Ｃは録画に失敗し、放送番組Ｅはまだ放送されていないことを示している。
【００３８】
予約録画に失敗した対象放送番組が存在するとき、録画装置１００は制御部１６０による制御下で、次のような特徴的な再生動作を実行する。以下では、録画装置１００が実行する再生動作について、フローチャート及び画面例を参照しながら詳細に説明する。
【００３９】
図５は、録画装置１００が実行する、実施の形態１に係る再生動作の一例を示すフローチャートである。図５のフローチャートは、例えば、ユーザから録画装置１００の動作モードを再生モードに切り替える指示を受け付けたときに起動される。
【００４０】
制御部１６０は、表示部１５０に、録画番組リストを表示する（Ｓ１１）。録画番組リストは、放送スケジュールが過ぎた対象放送番組を、対象放送番組ごとに予約録画が成功した失敗したかが分かる態様で表示するリストである。
【００４１】
図６Ａは、表示部１５０に表示される録画番組リストの一例を示す図である。図６Ａには、図４の録画予約リスト１３１の内容に対応する録画番組リスト１５１が示されている。図６Ａの録画番組リスト１５１では、予約録画に成功した対象放送番組（つまり、記憶部１３０に再生可能に記録された対象放送番組）について放送番組名のみが表示される。また、予約録画に失敗した対象放送番組（つまり、記憶部１３０に再生可能に記録されていない対象放送番組）について“（録画失敗）”なる文言を付した放送番組名が表示される。
【００４２】
ユーザは、このような録画番組リスト１５１の中から、視聴したい対象放送番組を選択して再生を指示する（Ｓ１２）。ここで、ユーザは、予約録画に成功した番組Ａ及び番組Ｄを選択できることはもちろんのこと、予約録画に失敗した番組Ｂ及び番組Ｃを選択することもできる。
【００４３】
予約録画に成功した対象放送番組の再生が指示された場合（Ｓ１３でＹＥＳ）、制御部１６０は、記憶部１３０に記録されている対象放送番組を再生して、表示部１５０で表示する（Ｓ１４）。
【００４４】
予約録画に失敗した対象放送番組の再生が指示された場合（Ｓ１３でＮＯ）、制御部１６０は、ＶＯＤシステムにアクセスするためのソフトウェアであるＶＯＤアプリを起動する（Ｓ２１）。そして、制御部１６０は、ＶＯＤアプリから通信部１２０を介してＶＯＤシステムにアクセスして、再生を指示された対象放送番組に関連する１以上のＶＯＤ番組を検索し、ＶＯＤシステムから検索結果を取得する。当該検索結果として、例えば、当該対象放送番組の放送番組名と一致するか又は類似する番組名を持つ１以上のＶＯＤ番組の番組名のリストが取得される。
【００４５】
制御部１６０は、検索結果に含まれるＶＯＤ番組の各々について、ＶＯＤ番組の案内情報と対象放送番組の案内情報との一致率を特定する。ＶＯＤ番組及び対象放送番組のそれぞれの案内情報は、番組ガイドに記載される番組名、出演者名、ジャンルなどの各種の情報で構成される。以下では、番組名を案内情報の典型例として用いて説明する。制御部１６０は、例えば、番組名が完全に一致するか否かに応じて当該一致率を１００か０かに特定してもよい。また、ＶＯＤ番組の番組名を構成する文字のうち対象放送番組の番組名に同じ文字がある文字の割合を示すパーセンテージ値を算出し、当該算出された値を当該一致率として特定してもよい。
【００４６】
そして、制御部１６０は、ＶＯＤ番組の検索結果、及び算出された一致率を示すＶＯＤ番組リストを生成する（Ｓ３１）。
【００４７】
図７は、ＶＯＤ番組リストの一例を示す図である。図７のＶＯＤ番組リスト１３２には、説明の便宜上、放送番組Ｂの再生が指示されたときに生成される部分と、放送番組Ｃの再生が指示されたときに生成される部分とが、まとめて記載されている。
【００４８】
放送番組Ｂの再生が指示されたときに生成される部分は、放送番組Ｂに関連して、ＶＯＤ番組Ｂが検索され、ＶＯＤ番組Ｂの放送番組Ｂとの一致率が１００であることを示している。また、放送番組Ｃの再生が指示されたときに生成される部分は、放送番組Ｃに関連して、ＶＯＤ番組ＣＣ、Ｃ２、Ｃ”、ｃが検索され、ＶＯＤ番組ＣＣ、Ｃ２、Ｃ”、ｃの放送番組Ｃとの一致率がそれぞれ９２、８５、６８、９８であることを示している。
【００４９】
制御部１６０は、このようなＶＯＤ番組リストのうち、ユーザから再生を指示された対象放送番組に関連する部分を生成する。
【００５０】
生成されたＶＯＤ番組リストの中に、一致率が所定の条件を満たす程度に高いＶＯＤ番組があれば（Ｓ３２でＹＥＳ）、制御部１６０は、当該ＶＯＤ番組を、対象放送番組の代わりとしてより適していると考えられる対象ＶＯＤ番組として選択する。そして、選択された当該対象ＶＯＤ番組を、前記ＶＯＤシステムから取得しながら再生する、いわゆるストリーミング再生を行う（Ｓ３３）。
【００５１】
制御部１６０は、例えば、所定のしきい値を前記所定の条件として用いて、前記一致率と前記しきい値とを比較することによって、前記一致率が前記しきい値以上のＶＯＤ番組を前記対象ＶＯＤとして選択してもよい。具体的に、前記しきい値を１００とすることで、番組名が対象放送番組と完全に一致するＶＯＤ番組を対象ＶＯＤ番組として選択してもよい。
【００５２】
図６Ｂは、表示部１５０に表示される対象ＶＯＤ番組の再生映像１５２の一例を示す図である。図６Ｂの再生映像１５２には、例えば、ユーザが、図６Ａの録画番組リスト１５１から“番組Ｂ（録画失敗）”を選択したとき、図７のＶＯＤ番組リスト１３２に従って、ストリーミング再生されるＶＯＤ番組Ｂが示されている。
【００５３】
ストリーミング再生では、ＶＯＤ番組の一部を記録できる空き容量が記憶部１３０にありさえすれば、ユーザは、ＶＯＤ番組を視聴することができる。そのため、記憶部１３０の空き容量の不足によって前記対象放送番組の予約録画に失敗した場合でも、ユーザは、前記対象ＶＯＤ番組を視聴できる。また、別の理由で前記対象放送番組の予約録画に失敗し、記憶部１３０に十分な空き容量がある場合、ユーザは、当該空き容量を他の用途に残しておきながら、しかも、前記対象ＶＯＤ番組を視聴できる。このようにして、予約録画に失敗した場合にユーザが蒙る不便が軽減される。
【００５４】
また、予約録画に失敗した対象放送番組の再生が指示された場合、当該対象放送番組と番組名での一致率が高いＶＯＤ番組が、対象ＶＯＤ番組としてストリーミング再生される。これにより、ユーザは、予約録画に成功した対象放送番組を再生するときと全く同じ操作で、予約録画に失敗した対象放送番組の代わりに対象ＶＯＤ番組を視聴することができるので、録画装置１００の操作性がよく統一される。
【００５５】
さて、ステップＳ３１で生成されたＶＯＤ番組リストの中に、一致率が所定の条件を満たす程度に高いＶＯＤ番組がない場合（Ｓ３２でＮＯ）、制御部１６０は、当該ＶＯＤ番組リストを表示部１５０にて表示し（Ｓ３４）、ユーザによるＶＯＤ番組の選択操作を受け付ける（Ｓ３５）。そして、ユーザによってＶＯＤ番組リストの中から選択されたＶＯＤ番組を、対象ＶＯＤ番組として、ストリーミング再生する（Ｓ３６）。
【００５６】
図６Ｃは、表示部１５０に表示されるＶＯＤ番組リストの一例を示す図である。図６ＣのＶＯＤ番組リスト１５３は、例えば、ユーザが、図６Ａの録画番組リスト１５１から“番組Ｃ（録画失敗）”を選択したとき、図７のＶＯＤ番組リスト１３２に従って、表示部１５０に表示される。ユーザが、このようなＶＯＤ番組リスト１３２の中から、視聴したいＶＯＤ番組を選択して再生を指示すると、ユーザによって選択された当該ＶＯＤ番組が、対象ＶＯＤ番組としてストリーミング再生される。
【００５７】
これにより、検索された何れのＶＯＤ番組も対象放送番組との番組名での一致率が低く、何れのＶＯＤ番組が前記対象放送番組の代わりとしてより適しているか判断できない場合に、再生すべきＶＯＤ番組の選択をユーザに委ねることができる。
【００５８】
（実施の形態２）
実施の形態２では、実施の形態１と比べて、制御部１６０が、予約録画に失敗した対象放送番組に関連する１以上のＶＯＤ番組の検索を行うタイミングが異なる。
【００５９】
すなわち、実施の形態１では、制御部１６０は、予約録画に失敗した対象放送番組の再生が指示されてから当該対象放送番組に関連する１以上のＶＯＤ番組を検索した。
【００６０】
これに対し、実施の形態２では、制御部１６０は、対象放送番組の予約録画に失敗したことが分かった時点で、当該対象放送番組の再生をユーザから指示されるよりも前に、当該対象放送番組に関連する１以上のＶＯＤ番組を検索する。制御部１６０は、ユーザから再生を指示されるよりも前に、さらに、検索された各ＶＯＤ番組について一致率を特定してもよい。検索されたＶＯＤ番組のリストは、特定された一致率とともに、前述したＶＯＤ番組リスト（図７を参照）の形式で表されてもよい。検索の結果は、記憶部１３０に記録され、ユーザから当該対象放送番組の再生を指示されたときに参照される。
【００６１】
これにより、ユーザから前記対象放送番組の再生を指示されるよりも前に、前記対象放送番組に関連する１以上のＶＯＤ番組が検索されるので、実施の形態１の構成と比べて、検索や一致率特定のためにユーザを待たせる時間が削減される。
【００６２】
（実施の形態３）
実施の形態３では、実施の形態１と比べて、制御部１６０が、対象放送番組と当該対象放送番組の代わりに再生されたＶＯＤ番組との関連付けを示すリンク情報を記録する点が異なる。
【００６３】
図８は、録画装置１００が実行する、実施の形態３に係る再生動作の一例を示すフローチャートである。図８のフローチャートは、図５のフローチャートに、ステップＳ２２、Ｓ２３、Ｓ３７を追加して構成される。
【００６４】
図８のフローチャートによれば、制御部１６０は、予約録画に失敗した対象放送番組の代わりとしてＶＯＤ番組をストリーミング再生したときに（Ｓ３３、Ｓ３６）、当該対象放送番組と当該対象放送番組の代わりに再生されたＶＯＤ番組との関連付けを示すリンク情報を、記憶部１３０に記録する（Ｓ３７）。
【００６５】
図９は、記憶部１３０に記録されるリンク情報の一例を示す図である。図９のリンク情報１３３は、例えば、放送番組Ｂの代わりにＶＯＤ番組Ｂがストリーミング再生され、かつ放送番組Ｃの代わりにＶＯＤ番組ＣＣがストリーミング再生された場合に、記憶部１３０に記録されるリンク情報の一例である。
【００６６】
制御部１６０は、ＶＯＤアプリを起動した後（Ｓ２１）、再生を指示された対象放送番組と関連付けられたＶＯＤ番組を示すリンク情報が、記憶部１３０に記録されているか否かを判断する。
【００６７】
前記リンク情報が記憶部１３０に記録されていなければ（Ｓ２２でＮＯ）、実施の形態１と同様にして当該対象放送番組の代わりとしてのＶＯＤ番組をストリーミング再生し（Ｓ３１〜Ｓ３６）、その後、当該対象放送番組の代わりにストリーミング再生されたＶＯＤ番組を示すリンク情報を記録する（Ｓ３７）。
【００６８】
前記リンク情報が記憶部１３０に記録されていれば（Ｓ２２でＹＥＳ）、前記リンク情報によって前記対象放送番組に関連付けられるＶＯＤ番組をストリーミング再生する（Ｓ２３）。
【００６９】
これにより、ユーザから、対象放送番組の再生を再度指示されたときに、初回の再生指示に応じてストリーミング再生したＶＯＤ番組を直ちに再生することができるので、検索や一致率特定のためにユーザを待たせる時間が削減され、さらには、ＶＯＤ番組リストからＶＯＤ番組を再度選択する手間が省かれる。
【００７０】
（変形例）
以上、本発明の実施の形態に係る録画装置について説明したが、本発明は、この実施の形態に限定されるものではない。本発明の趣旨を逸脱しない限り、実施の形態を組み合わせた形態や、当業者が思いつく各種変形を本実施の形態に施した形態は、本発明の範囲内に含まれる。
【００７１】
例えば、実施の形態２と３とを組み合わせた録画装置、すなわち、ユーザから予約録画に失敗した対象放送番組の再生を指示されるよりも前に、前記対象放送番組に関連する１以上のＶＯＤ番組を検索し、かつ、対象放送番組と当該対象放送番組の代わりに再生されたＶＯＤ番組との関連付けを示すリンク情報を記録する録画装置は、本発明の範囲内に含まれる。
【００７２】
また、実施の形態で説明したとおり、対象放送番組の代わりのＶＯＤ番組をストリーミング再生することで、記憶部１３０の空き容量が不足している場合に、とりわけ大きな効果が発揮される。そこで、予約録画に失敗した原因を切り分け、記憶部１３０の空き容量不足が失敗の原因である場合に、対象放送番組の代わりのＶＯＤ番組をストリーミング再生してもよい。このような構成では、記憶部１３０の空き容量が失敗の原因でない場合には、対象放送番組の再放送を記憶部１３０に記録し直し、また、対象放送番組のダウンロードを取得して記憶部１３０に記録することもできる。
【産業上の利用可能性】
【００７３】
本発明は、例えば、予約録画機能を有する録画装置に広く利用できる。
【符号の説明】
【００７４】
１０    携帯情報端末
１１    タッチパネル
１２    液晶パネル
２０    ＢＤレコーダ
２１    リモコン
２２    モニタディスプレイ
１００    録画装置
１１０    受信部
１２０    通信部
１３０    記憶部
１３１    予約録画リスト
１３１    録画予約リスト
１３２    ＶＯＤ番組リスト
１３３    リンク情報
１４０    ユーザ操作受付部
１５０    表示部
１５１    録画番組リスト
１５２    ＶＯＤ番組の再生映像
１５３    ＶＯＤ番組リスト
１６０    制御部
【図１】
2015226287.tif 000003
【図２】
2015226287.tif 000004
【図３】
2015226287.tif 000005
【図４】
2015226287.tif 000006
【図５】
2015226287.tif 000007
【図６Ａ】
2015226287.tif 000008
【図６Ｂ】
2015226287.tif 000009
【図６Ｃ】
2015226287.tif 000010
【図７】
2015226287.tif 000011
【図８】
2015226287.tif 000012
【図９】
2015226287.tif 000013